(57)【要約】  【課題】  ケーソン等の地中構造物の各壁の際や、刃口の下部を確実に掘削でき、地中構造物の周辺の地盤沈下を防止する水中掘削機を提供する。  【解決手段】  ケーソン１を構築する際に、ケーソン１の内部の水中で地山を掘削する水中掘削機１１において、掘削機本体１２を任意の方向に推進させる水ジェット推進装置１４と、ケーソン１の壁面に吸着する真空吸着装置１６と、この壁面の下部近傍の地山Ｇを掘削するバケット式掘削装置１７とを有する。【選択図】  図２
2005133288.tif 000002
【特許請求の範囲】
【請求項１】
地中構造物を構築する際に、該地中構造物の内部の水中で地山を掘削する水中掘削機において、
掘削機本体を任意の方向に推進させる推進手段と、前記地中構造物の壁面に吸着する吸着手段と、前記壁面の下部近傍の地山を掘削する掘削手段とを有することを特徴とする水中掘削機。
【請求項２】
前記推進手段は、水を噴射させてその反力で推進力を得る水ジェット推進装置であることを特徴とする請求項１に記載の水中掘削機。
【請求項３】
前記吸着手段は、前記地中構造物の壁面に吸着部を当接させて、該吸着部と前記壁面との間の真空室を真空引きすることにより吸着させる真空吸着装置であることを特徴とする請求項１又は２に記載の水中掘削機。
【請求項４】
前記真空室に空気を圧送する空気圧送装置が設けられ、該空気圧送装置により、前記真空室に空気を圧送することにより、該真空室内の水を前記真空吸着装置側に押し出すようにしたことを特徴とする請求項３に記載の水中掘削機。
【請求項５】
前記掘削手段は、ジャッキにより駆動される複数のアームと、該アームの先端部に設けられてジャッキにより駆動されて地山を掘削するバケットとを有するバケット式掘削装置であることを特徴とする請求項１乃至４の何れか一つに記載の水中掘削機。
【請求項６】
前記掘削手段は、前記地山を突き崩すことにより、前記地山を掘削する掘削突き矢を有する突き矢式掘削装置であることを特徴とする請求項１乃至４の何れか一つに記載の水中掘削機。
【請求項７】
前記掘削手段は、前記地山に水ジェットを噴射させることにより前記地山を掘削する水ジェット式掘削装置であることを特徴とする請求項１乃至４の何れか一つに記載の水中掘削機。
【発明の詳細な説明】
【技術分野】
【０００１】
この発明は、地中に掘削・沈下させるケーソンなどの地中構造物を構築する時に使用される水中掘削機に関するものである。
【背景技術】
【０００２】
従来のこの種のものとしては、例えば図９に示すようなものがある。図中符号１は「地中構造物」としてのケーソンで、このケーソン１は、周囲に四角形の環状に設けられた側壁２と、この側壁２の内側に設けられた隔壁３とを有し、これら側壁２及び隔壁３の下部にはそれぞれ刃口２ａ，３ａが形成されている（特許文献１参照）。
【０００３】
そして、このケーソン１の内部の水中に、クラムシェル４が吊下げ用鋼索５にて吊り下げられて、このクラムシェル４により、ケーソン１内の底部の地山Ｇが掘削されるようになっている。掘削された土砂は、このクラムシェル４を吊下げ用鋼索５にて引き上げることにより、地上まで搬送されて廃棄される。
【特許文献１】特開平１１−３６３３８号公報
【発明の開示】
【発明が解決しようとする課題】
【０００４】
しかしながら、このような従来のものにあっては、クラムシェル４を単に吊下げ用鋼索５にて吊り下げてケーソン１内部を掘削するようにしているため、ケーソン１内部の中央部付近の地山Ｇは掘削できるが、側壁２及び隔壁３の近傍や刃口２ａ，３ａの下部は掘削できないことがあり、このため、中央部付近を必要以上に深く掘削する余堀りが必要となっていた。このように余堀りを行うと、刃口２ａ，３ａの下側の地山の崩壊を防止できず、ケーソン１が急な沈下を起こすことがしばしばある。従って、ケーソン１の地山を緩めてしまい、ケーソン１の周囲の地山の沈下を防止できない。
【０００５】
そこで、この発明は、ケーソン等の地中構造物の各壁の際や、刃口の下部を確実に掘削でき、地中構造物の周辺の地盤沈下を防止する水中掘削機を提供することを課題とする。
【課題を解決するための手段】
【０００６】
上記課題を解決するため、請求項１に記載の発明は、地中構造物を構築する際に、該地中構造物の内部の水中で地山を掘削する水中掘削機において、掘削機本体を任意の方向に推進させる推進手段と、前記地中構造物の壁面に吸着する吸着手段と、前記壁面の下部近傍の地山を掘削する掘削手段とを有する水中掘削機としたことを特徴とする。
【０００７】
請求項２に記載の発明は、前記推進手段は、水を噴射させてその反力で推進力を得る水ジェット推進装置であることを特徴とする。
【０００８】
請求項３に記載の発明は、前記吸着手段は、前記地中構造物の壁面に吸着部を当接させて真空引きすることにより吸着させる真空吸着装置であることを特徴とする。
【０００９】
請求項４に記載の発明は、前記真空室に空気を圧送する空気圧送装置が設けられ、該空気圧送装置により、前記真空室に空気を圧送することにより、該真空室内の水を前記真空吸着装置側に押し出すようにしたことを特徴とする。
【００１０】
請求項５に記載の発明は、前記掘削手段は、ジャッキにより駆動される複数のアームと、該アームの先端部に設けられてジャッキにより駆動されて地山を掘削するバケットとを有するバケット式掘削装置であることを特徴とする。
【００１１】
請求項６に記載の発明は、前記掘削手段は、前記地山を突き崩すことにより、前記地山を掘削する掘削突き矢を有する突き矢式掘削装置であることを特徴とする。
【００１２】
請求項７に記載の発明は、前記掘削手段は、前記地山に水ジェットを噴射させることにより前記地山を掘削する水ジェット式掘削装置であることを特徴とする。
【発明の効果】
【００１３】
請求項１に記載の発明によれば、地中構造物の任意の場所における壁面の下部近傍の地山を掘削できるため、従来のような刃口の下側の地山の崩壊を防止でき、ケーソンを徐々に沈下させることができる。従って、地中構造物の周囲の地山を緩めることがなく、地中構造物の周辺の地山の沈下を防止できる。
【００１４】
請求項２に記載の発明によれば、推進手段は、水を噴射させてその反力で推進力を得る水ジェット推進装置であるため、地中構造物内の水を利用して推進することができ、地上から推進用の水を引いたりすることなく、推進装置の構造を簡単にできる。
【００１５】
請求項３に記載の発明によれば、吸着手段は、地中構造物の壁面に吸着部を当接させて真空引きすることにより吸着させる真空吸着装置であるため、壁面が平坦であれば、任意の場所に吸着させることができ、任意の個所を容易に掘削することができる。
【００１６】
請求項４に記載の発明によれば、真空室に空気を圧送する空気圧送装置が設けられ、この空気圧送装置により、真空室に空気を圧送することにより、真空室内の水を真空吸着装置側に押し出すようにしたため、水深が深い所でも、真空室内の水を排出でき、吸着力を確保することができる。
【００１７】
請求項５に記載の発明によれば、掘削手段は、ジャッキにより駆動される複数のアームと、このアームの先端部に設けられてジャッキにより駆動されて地山を掘削するバケットとを有するバケット式掘削装置であるため、複数のアームとバケット等を可動させることにより、比較的自由に任意の位置を掘削することができる。
【００１８】
請求項６に記載の発明によれば、掘削手段は、地山に突き刺すことにより地山を突き崩す突き矢を有する突き矢式掘削装置であるため、簡単な構造で地山を掘削することができる。
【００１９】
請求項７に記載の発明によれば、掘削手段は、地山に水ジェットを噴射させることにより地山を掘削する水ジェット式掘削装置であるため、地中構造物に水ジェットが多少当たっても損傷させることがないことから、より地中構造物の近傍を掘削できる。
【発明を実施するための最良の形態】
【００２０】
以下、この発明の実施の形態１について説明する。
［発明の実施の形態１］
【００２１】
図１乃至図５には、この発明の実施の形態１を示す。
【００２２】
まず、構成を説明すると、図中符号１１は、この実施の形態１の水中掘削機で、この水中掘削機１１は、ケーソン１内の地山Ｇ、特に、ケーソン１の各壁２，３の下部近傍を掘削するものである。
【００２３】
この水中掘削機１１は、上下方向に長い扁平の直方体形状を呈する掘削機本体１２が吊下げ用鋼索１３を介して図示省略のクレーン等により吊り下げられるようになている。
【００２４】
この掘削機本体１２は、この本体１２を任意の方向に推進させる「推進手段」として水ジェット推進装置１４が略中央部に内蔵されると共に、この掘削機本体１２の側部には計４個所に固定脚１５が突出して設けられ、これら固定脚１５の各先端部には、ケーソン１の側壁２及び隔壁３に吸着する「吸着手段」としての真空吸着装置１６が設けられ、更に、掘削機本体１２の下端部には、側壁２及び隔壁３の下部近傍の地山Ｇを掘削するバケット式掘削装置１７が配設されている。
【００２５】
その水ジェット推進装置１４は、図２に示すように、掘削機本体１２に固定される取付架台１４ａに複数の水取入れ口１４ｂが形成されると共に、この水取入れ口１４ｂから取り入れられた水がモータ１４ｃの駆動力により水ジェット発生部１４ｄ及び水ジェットノズル１４ｅを介して外部に水が勢い良く噴射される。
【００２６】
その水ジェット推進装置１４は、その水ジェットを噴射させてその反力で推進力を得るものである。
【００２７】
また、その真空吸着装置１６は、図２及び図４に示すように、固定脚１５の先端部にジャッキ取付筒１６ａが固定され、このジャッキ取付筒１６ａ内にジャッキシリンダ１６ｂが配設されると共に、このジャッキシリンダ１６ｂによりジャッキピストン１６ｃが図中左右方向（水平方向）に進退駆動するように構成されている。そして、このジャッキピストン１６ｃの先端部には、略球形状のナックル１６ｄが配設され、このナックル１６ｄが「吸着部」としての蓋盤１６ｅの嵌合凹部１６ｆに嵌合された状態で、ナックル押さえ板１６ｇが蓋盤１６ｅに取り付けられることにより、嵌合状態が維持されるようになっている。この嵌合状態で、蓋盤１６ｅは、ナックル１６ｄに対して三次元的に可動可能に支持されている。また、この蓋盤１６ｅとジャッキ取付筒１６ａとがワイヤ１６ｈにより連結され、蓋盤１６ｅが壁面に吸着され易いように、蓋盤１６ｅが所定の姿勢を維持するように構成されている。
【００２８】
また、その蓋盤１６ｅには、図４中右側が解放された凹形状の真空室１６ｉが形成され、この真空室１６ｉの周囲に形成された周縁当接部１６ｊがケーソン１の各壁２，３の壁面に当接されるようになっている。また、この周縁当接部１６ｊの外周には、その壁面に当接して弾性変形することにより、気密状態を維持するためにシール部材１６ｋが配設され、このシール部材１６ｋはシール押さえ板１６ｍ及び図示省略のボルト・ナットを介して蓋盤１６ｅに吸着されるようになっている。
【００２９】
そして、図４に示すように、４つの蓋盤１６ｅの真空室１６ｉと１つの真空タンク１６ｎとが真空パイプ１６ｏを介して連結され、各真空パイプ１６ｏには、途中にストップバルブ１６ｐが配設されている。この真空パイプ１６ｏは真空室１６ｉの底面部に接続されている。
【００３０】
また、この真空タンク１６ｎには、真空ポンプ１６ｇが接続される一方、この真空タンク１６ｎの下端部には、この真空タンク１６ｎ内に溜まった水を排水するドレーンパイプ１６ｒが接続され、ドレーンパイプ１６ｒの途中には、このパイプ１６ｒを開閉するドレーンバルブ１６ｓが設けられている。
【００３１】
そして、その真空ポンプ１６ｇを作動させることにより、真空タンク１６ｎが真空状態とされ、ストップバルブ１６ｐを開くことで、真空パイプ１６ｏを介して真空室１６ｉの空気が吸引されて真空状態とされるように構成されている。これら真空タンク１６ｎ及び真空ポンプ１６ｇは、地上に配置されている。
【００３２】
なお、真空ポンプ１６ｇを安全のために複数設置し、予備を設けておくことも好適である。また、真空タンク１６ｎにはリザーブタンクを接続することもできる。
【００３３】
また、前記真空室１６ｉに空気を圧送する「空気圧送装置」としてのコンプレッサ４０が地上に設けられ、このコンプレッサ４０が送気パイプ４１を介して真空室１６ｉの上部に接続され、この送気パイプ４１の途中には、送気バルブ４２が設けられている。このコンプレッサ４０により、真空室１６ｉに空気を圧送することにより、真空室１６ｉ内の水を真空タンク１６ｎ側に押し出すように構成されている。
【００３４】
さらに、バケット式掘削装置１７は、掘削機本体１２に第１アーム１７ａの一端部が回動自在に取り付けられ、この第１アーム１７ａの先端部に第２アーム１７ｂの基端部が回動自在に取り付けられ、これら第１，第２アーム１７ａ，１７ｂのそれぞれが第１，第２ジャッキ１７ｃ，１７ｄより回動されるように構成されている。
【００３５】
そして、この第２アーム１７ｂの先端部には、地山Ｇを掘削するバケット１７ｅが回動自在に設けられ、このバケット１７ｅにより、地山Ｇが掘削されるように構成されており、このバケット１７は、バケットジャッキ１７ｆにより回動されるように構成されている。
【００３６】
次に、作用について説明する。
【００３７】
まず、掘削機本体１２を吊下げ用鋼索１３により吊り下げた状態で、ケーソン１内の水中に位置させ、この状態から、水ジェット推進装置１４のモータ１４ｃを駆動させて、水ジェットノズル１４ｅから水を所定の方向に噴射させる。この水は、ケーソン１の内部に溜められた水を利用する。
【００３８】
この時の推進力により、掘削機本体１２を隔壁３側に向けて移動させると共に、真空吸着装置１６の蓋盤１６ｅの周縁当接部１６ｊがここでは隔壁３の下部側の壁面に押し付けられて当接させられる。正確には、まず、柔軟性を有するシール部材１６ｋの先端部がその壁面に接触することにより、シール状態となり、真空室１６ｉが密閉状態とされる。この際には、蓋盤１６ｅがナックル１６ｄを介して三次元的に可動するようになっているため、その壁面にシール部材１６ｋが全周に渡って確実に接触することとなる。
【００３９】
この状態で、各送気バルブ４２とストップバルブ１６ｐを開放させると共に、ドレーンバルブ１６ｓを閉め、コンプレッサ４０及び真空ポンプ１６ｑを稼働させる。すると、コンプレッサ４０から空気が真空室１６ｉの上部側に圧送されることにより、送気パイプ４１内、真空室１６ｉ内及び真空パイプ１６ｏ内に溜まっている残留水が真空タンク１６ｎ側に押し出されると同時に、真空ポンプ１６ｑの吸引力により、その残留水が真空タンク１６ｎ内に貯留される。
【００４０】
そして、送気パイプ４１，真空室１６ｉ及び真空パイプ１６ｏ内の排水が完了した後、送気バルブ４２を閉めると共に、コンプレッサ４０の作動を停止させる。
【００４１】
その後も継続して真空ポンプ１６ｑは稼働しているため、真空状態の真空タンク１６ｎに真空パイプ１６ｏを介して真空室１６ｉ内の空気が吸引されて真空引きされ、この真空室１６ｉ内が真空状態とされ、シール部材１６ｋが弾性変形されて、周縁当接部１６ｊがその壁面に所定の当接力で当接することとなる。この際には、真空室１６ｉ内が真空状態とされると、蓋盤１６ｅの外部から水圧が作用することにより、蓋盤１６ｅはより強い力で壁面に吸着・固定される。この時の固定力は、蓋盤１６ｅの水中における深さに比例するので、深い位置にあるほど大きな固定力を発生する。この水中掘削機１１はケーソン１の各壁２，３の下部付近で専ら使用されるので、大きな固定力を得ることができる。
【００４２】
一方、真空タンク１６ｎ内に貯留された残留水は、その水位が真空パイプ１６ｏの吐出口及び真空ポンプ１６ｑの吸気口に達しないように、ドレーンバルブ１６ｓを適宜開放することにより排水する。
【００４３】
なお、この固定力は、バケット式掘削装置１７による掘削力を想定し、この掘削力による反力が作用しても、水中掘削機１１が各壁２，３から外れないように、真空室１６ｉの大きさや吸引力等を設定する必要がある。
【００４４】
そして、この固定状態で、地上からの遠隔操作により、各ジャッキ１７ｃ，１７ｄ，１７ｆを操作して、各アーム１７ａ，１７ｂ及びバケット１７ｅを駆動させて、刃口３ａの下側を掘削する。
【００４５】
この部分の掘削を終了したら、真空室１６ｉ内の圧力を上げることにより、壁面への吸着力を解除して、吊下げ用鋼索１３にて水中掘削機１１を吊り下げた状態で、クレーンにより所定の位置に移動させて、上記と同様の方法により、この部位における刃口２ａ，３ａに下側を掘削する。
【００４６】
また、ケーソン１内部の中央部側の地山Ｇは、従来のクラムシェル４を用いて掘削し、掘削土砂を地上に廃棄する。その後、この水中掘削機１１で沈下最終時の地盤均し掘削を行う。
【００４７】
このように水中掘削機１１を用いれば、刃口２ａ，３ａの近傍を掘削できるため、余堀が必要なく、従来のような刃口２ａ，３ａの下側の地山Ｇの崩壊を防止でき、ケーソン１を沈下させることができる。従って、ケーソン１の周囲の地山Ｇを緩めることがなく、ケーソン１の周辺の地山Ｇの沈下を防止できる。
【００４８】
さらに、この実施の形態では、複数のアーム１７ａ，１７ｂとバケット１７ｅ等を可動させることにより、比較的自由に任意の位置を掘削することができる。
【００４９】
さらにまた、コンプレッサ４０等を設け、空気を真空室１６ｉ側に圧送することにより、真空室１６ｉ内等の水を真空タンク１６ｎ側に押し出すようにしたため、水深が１０ｍ以上の深い所でも、真空室内の水を排出でき、吸着力を確保することができる。
【００５０】
なお、上記掘削機本体１２は水密構造として構成しても良い。この場合、適度に浮力を持たせることにより、水中における運動性能を向上させることができる。
【００５１】
また、水ジェット推進装置１４を壁面に平行にとなるように設けても良い。この場合、壁面に左右に向けて一対設けると、左右のどちらの方向にも移動可能であるので好適である。
［発明の実施の形態２］
【００５２】
図６及び図７には、この発明の実施の形態２を示す。
【００５３】
この実施の形態２は、「掘削手段」が実施の形態１のものと相違する。この実施の形態２の「掘削手段」として、突き矢式掘削装置２２が設けられている。
【００５４】
この突き矢式掘削装置２２は、滑り台２２ａが掘削機本体１２にステー２２ｂを介して斜めに取り付けられ、この傾斜角度は側壁２の刃口２ａの傾斜面と同じ角度に設定されている。
【００５５】
そして、この滑り台２２ａには、ガイド部２２ｃが形成され、このガイド部２２ｃに掘削突き矢２２ｄがスライド自在に収容されている。この掘削突き矢２２ｄは、下端部２２ｅが鋭角に形成され、この下端部２２ｅが地山Ｇに突き刺さって地山Ｇを掘削するように構成されている。
【００５６】
また、この掘削突き矢２２ｄの上端部２２ｆに鋼索２２ｇが連結され、この鋼索２２ｇが第１，第２滑車２２ｈ，２２ｉに掛けられて地上まで延長され、この鋼索２２ｇを下げることにより、掘削突き矢２２ｄがガイド部２２ｃに案内されて下降して、刃口２ａの傾斜面に沿った地山Ｇが掘削され、鋼索２２ｇを上げることにより、掘削突き矢２２ｄがガイド部２２ｃに案内されて上昇させられるように構成されている。
【００５７】
このようなものにあっては、刃口２ａの傾斜面と略同じ角度に掘削突き矢２２ｄが配設され、ガイド部２２ｃに案内されてスライドして、地山Ｇを掘削するようにしているため、より刃口２ａの近傍を掘削することができる。
【００５８】
また、この実施の形態２の突き矢式掘削装置２２は簡単な構造で地山を掘削することができる。
【００５９】
他の構成及び作用は実施の形態１と同様であるため説明を省略する。
［発明の実施の形態３］
【００６０】
図８には、この発明の実施の形態３を示す。
【００６１】
この実施の形態３は、「掘削手段」が実施の形態１のものと相違する。この実施の形態３の「掘削手段」として、水ジェット式掘削装置３２が設けられている。
【００６２】
この水ジェット式掘削装置３２は、地山Ｇに水ジェットを噴射させることにより刃口２ａの近傍の地山Ｇを掘削するように構成されている。
【００６３】
より詳しくは、この水ジェット式掘削装置３２は、滑り架台３２ａが回動軸３２ｂを介して掘削機本体１２に回動自在に設けられると共に、この滑り架台３２ａの上端部と掘削機本体１２との間に、勾配調整ジャッキ３２ｃが配設され、滑り架台３２ａの角度が調整されるように構成されている。
【００６４】
そして、この滑り架台３２ａには、ガイド部３２ｄが形成され、このガイド部３２ｄに、そり部３２ｅがスライド自在に設けられ、このそり部３２ｅがスライドジャッキ３２ｆにより斜め方向にスライドされるように構成されている。
【００６５】
このそり部３２ｅの先端部（下端部）には、複数の水取入れ口３２ｇが形成されると共に、この水取入れ口３２ｇから取り入れられた水がモータ３２ｈの駆動力により水ジェット発生部３２ｉ及び水ジェットノズル３２ｊを介して刃口２ａに向けて水ジェットが噴射されるように構成されている。
【００６６】
このようなものにあっては、刃口２ａの傾斜面と略同じ角度に水ジェットが噴射されるように、勾配調整ジャッキ３２ｃが駆動されると共に、スライドジャッキ３２ｆにより、そり部３２ｅ、ひいては水ジェットノズル３２ｊの位置が調整される。そして、この水ジェットノズル３２ｊから水ジェットが刃口２ａの近傍に噴射されて、この部分の地山Ｇが掘削されることとなる。
【００６７】
また、そのようにケーソン１の沈下に必要な部位に水ジェットノズル３２ｊを向けることができ、確実な地山Ｇの掘削が可能となる。また、ケーソン１に水が多少当たっても損傷させることがないことから、よりケーソン１の近傍を掘削できる。
【００６８】
他の構成及び作用は実施の形態１と同様であるため説明を省略する。
【００６９】
なお、上記各実施の形態では、「推進手段」として、水を噴射して推進力を発生する水ジェット推進装置１４を用いているが、これに限らず、空気を噴射するものでも良いし、又、スクリューの回転により推進力を得るようなものでも良い。
【図面の簡単な説明】
【００７０】
【図１】この発明の実施の形態１の水中掘削機の使用状態を示す断面図である。
【図２】同実施の形態１の水中掘削機の使用状態を示す拡大図である。
【図３】同実施の形態１の水中掘削機の正面図である。
【図４】同実施の形態１にかかる吸着装置の断面図である。
【図５】同実施の形態１にかかる吸着装置の蓋盤の真空室側を示す図である。
【図６】この発明の実施の形態２の水中掘削機の使用状態を示す拡大断面図である。
【図７】同実施の形態２にかかる図６のＡ−Ａ線に沿う断面図である。
【図８】この発明の実施の形態３の水中掘削機の使用状態を示す拡大断面図である。
【図９】従来例を示す図１に相当する断面図である。
【符号の説明】
【００７１】
１  ケーソン（地中構造物）
２  側壁
３  隔壁
2a,3a  刃口
11  水中掘削機
12  掘削機本体
13  吊下げ用鋼索
14  水ジェット推進装置（推進手段）
14e  水ジェットノズル
16  真空吸着装置（吸着手段）
16e 蓋盤（吸着部）
16i 真空室
17  バケット式掘削装置（掘削手段）
17a 第１アーム
17b 第２アーム
17c 第１ジャッキ
17d 第２ジャッキ
17e バケット
22  突き矢式掘削装置（掘削手段）
22a 滑り台 
22d 掘削突き矢
32  水ジェット式掘削装置（掘削手段）
32a 滑り架台
32j 水ジェットノズル
40  コンプレッサー
41  送気パイプ
42  送気バルブ
【図１】
2005133288.tif 000003
【図２】
2005133288.tif 000004
【図３】
2005133288.tif 000005
【図４】
2005133288.tif 000006
【図５】
2005133288.tif 000007
【図６】
2005133288.tif 000008
【図７】
2005133288.tif 000009
【図８】
2005133288.tif 000010
【図９】
2005133288.tif 000011